(57)【要約】      （修正有）【課題】マスカラの塗布棒に液状化粧料が付着しないようにするとともに、アプリケータ部に対する液状化粧料の付着量を適量に調整し且つアプリケータ部の外周に集め睫毛への塗布を容易にする。【解決手段】塗布棒３やアプリケータ部５の外周部に付着する液状化粧料を調整してしごき取るしごき栓４１としごき栓により中心部のみに残された液状化粧料をアプリケータ部５の外周部に搾り出す搾り栓５１を上下に配することにより液状化粧料の塗布棒３への付着を防止すると共にブラシに付着する液状化粧料の量を調整し、さらに液状化粧料をブラシ毛９の先端に付着させ効率よく化粧料を塗布できるようにする。【選択図】図１
2006263233.tif 000002
【特許請求の範囲】
【請求項１】
一端に開口部を有し液状化粧料を収容する筒状の容器本体と、
該容器本体の開口部側を閉蓋するキャップと、
該キャップに固着される塗布棒と、
該塗布棒の先端部に植設された芯材および当該芯材の周囲に配置されたブラシ毛から成るアプリケータ部と、
キャップが容器本体から取り外される際、塗布棒およびアプリケータ部を挿通して付着する液状化粧料調整するしごき部とを有する液状化粧料容器において、
該しごき部が
容器本体内にあって塗布棒の外周に付着する液状化粧料を摺動によりしごき取りアプリケータ部に付着する液状化粧料の量を適量に調節するしごき栓と、
さらにアプリケータ部のブラシ毛根元付近にしごき残された液状化粧料を摺動により部分的にブラシ毛先端付近に搾り出す搾り栓とからなることを特徴とする液状化粧料容器。
【請求項２】
しごき栓が
前記塗布棒の軸長方向に直交する横断面形状の内接円径よりもわずかに小径な挿通孔を有し、塗布棒の全周に軸長方向摺動するべく弱く接触するゴム弾性体からなるしごき片を形成して塗布棒の外周に付着する液状化粧料をしごき取り、
アプリケータ部に付着する液状化粧料の量を適量に調節し、
搾り栓が
筒状の胴部内に前記アプリケータ部を構成する芯材の軸長方向に直交する横断面形状より大きな内接円と、該内接円と同心で前記アプリケータ部の外周径前後の大きさの外接円と内接円と同心でアプリケータ部の外周径前後の大きさの外接円とにそれぞれ頂点を有する凹多角形状あるいは凸多角形状をなすゴム弾性体からなる搾り片を形成して前記アプリケータ部のブラシ毛根元付近にしごき残された液状化粧料を摺動により部分的にブラシ毛先端付近に搾り出すように形成され、
しごき栓が容器本体の底部側に、搾り栓がキャップ側となるよう配設されたことを特徴とする請求項１記載の液状化粧料容器。
【請求項３】
搾り栓の搾り片に胴部との間を連接した補強リブ部を有することを特徴とする請求項２記載の液状化粧料容器。
【請求項４】
搾り片における容器本体の底面側に配列される側が尖頭状に形成されたことを特徴とする請求項２、請求項３又は請求項４記載の液状化粧料容器。
【発明の詳細な説明】
【技術分野】
【０００１】
本発明は、しごき栓を内装するマスカラ容器等に関し、詳しくはアプリケータ部に付着した液状化粧料の付着量をしごき栓で調整する液状化粧料容器に関する。
【背景技術】
【０００２】
従来よりマスカラ等の液状化粧料容器においては、容器本体内に収容した粘性の高い液状化粧料を塗布棒の先に植設したアプリケータ部に付着させて取り出し、アプリケータ部の外周に付着する液状化粧料を睫毛に塗布している。
アプリケータ部は通常睫毛の一本一本に効率よく液状化粧料を塗布できるようにするため、塗布棒の先端に植設された芯材の周囲に放射状に配設されたブラシ毛からなる。
【０００３】
ところが液状化粧料はその粘性のためブラシ毛に付着した液状化粧料の量を適量に調節するのは難しく、液状化粧料が多めに付着した状態で塗布される。
そのため上睫毛の化粧料が下睫毛に移ったり塗布斑をつくり易い。
従って上手にマスカラを塗布するにはテクニックが必要であった。
【０００４】
そのため、容器本体内には、塗布棒およびアプリケータ部が貫通するしごき栓が内挿され、このしごき栓には塗布棒およびアプリケータ部が通過する際、塗布棒に付着した液状化粧料をしごき取り、アプリケータ部に付着した液状化粧料を適量に調節するしごき片が設けられていた。しかし、アプリケータ部に付着した液状化粧料を適量に調節したとしても、アプリケータ部に残存した液状化粧料はブラシ毛の根元付近にあり、塗布する際にこの残存した液状化粧料を有効に塗布できるとは言えなかった。また、アプリケータ部に残った化粧料は容器本体に閉蓋する際に容器本体内に戻され、容器本体内の液状化粧料の劣化を早めたりしていた。
【０００５】
そこで近年では例えば特許文献１に記載されているようにアプリケータ部を凹多角形である星形等に形成された変形のしごき片を用いるようになってきている。星形等に形成された変形のしごき片を用いることで液状化粧料をアプリケータ部のブラシ毛先端付近まで残存できるよう工夫がなされている。その結果アプリケータ部に付着した液状化粧料を有効に塗布できるようになっていた。
【０００６】
【特許文献１】特開２００３−１８０４４７号公報
【発明の開示】
【発明が解決しようとする課題】
【０００７】
特許文献１はしごき栓が星形等の孔形状を持つしごき片を有する例で、液状化粧料容器から取り出したブラシ部の中心部と外周部にそれぞれ液状化粧料を残存させるものである。
【０００８】
しかし、塗布棒と異なる星形等の孔を有するしごき栓では、しごき栓外周と挿通孔との間に隙間が生じ、塗布棒に多量の液状化粧料が筋状に取り残される。そのため塗布棒が汚れるばかりでなく化粧時に手元などを汚す可能性が高くなるという問題が生ずる。また持ち歩きの際には当該液状化粧料容器を寝かせた状態で長い間置かれ、液状化粧料がキャップ側に出てきてしまうといった致命的な不都合があった。
【０００９】
また、特許文献１に示されるしごき栓の挿通孔の形状ではアプリケータ部に付着した化粧料を適量に調節するという機能は有しておらず、アプリケータ部の液状化粧料の付着量は容器本体に残存する液状化粧料の量によって左右され、しごき栓を設けていない場合と同じくアプリケータ部の液状化粧料の付着量の調節、睫毛への塗布などにテクニックが必要となってしまう。
【００１０】
本発明は、このような問題点に鑑みてなされたもので、その目的とするところは、マスカラを睫毛に塗布する際、アプリケータ部を植設する塗布棒に液状化粧料が付着せず安心して塗布作業が出来るようにするものである。
【００１１】
さらにアプリケータ部に付着する過剰な液状化粧料を削減調整し特別なテクニックなしに睫毛に液状化粧料を塗布できるようにするものである。
【００１２】
さらに液状化粧料をアプリケータ部のブラシ先端部分にも付着させることによりアプリケータ部に付着した液状化粧料を有効に睫毛へ塗布出来るようにするものである。
【課題を解決するための手段】
【００１３】
上記目的を達成する本発明液状化粧料容器は塗布棒やアプリケータ部の外周部に付着する液状化粧料を調整してしごき取るしごき栓としごき栓により中心部のみに残された液状化粧料をアプリケータ部の外周部に搾り出す搾り栓を上下に配することにより液状化粧料の塗布棒への付着を防止すると共にブラシに付着する液状化粧料の量を調整する。さらに液状化粧料をブラシ毛の先端に付着させ効率よく化粧料を塗布できるようにするものである。
【００１４】
即ちしごき栓が
容器本体内にあって塗布棒の外周に付着する液状化粧料を摺動によりしごき取りアプリケータ部に付着する液状化粧料の量を適量に調節し、さらにアプリケータ部のブラシ毛根元付近にしごき残された液状化粧料を摺動により部分的にブラシ毛先端付近に搾り出し、
塗布に必要量な液状化粧料をアプリケータ部の表面に部分的に移動させるものである。
【００１５】
また、しごき栓が
塗布棒の軸長方向に直交する横断面形状の内接円径よりもわずかに小径の挿通孔を有し塗布棒の全周に軸長方向摺動するべく弱く接触するゴム弾性体からなるしごき片を形成し、塗布棒の外周に付着する液状化粧料をしごき取り、アプリケータ部に付着する液状化粧料の量を適量に調節し、
搾り栓が筒状の胴部内にアプリケータ部を構成する芯材の軸長方向に直交する横断面形状より大きな内接円と、内接円と同心でアプリケータ部の外周径前後の大きさの外接円とにそれぞれ頂点を有する凹多角形状あるいは凸多角形状をなすゴム弾性体からなる搾り片を形成し、アプリケータ部のブラシ毛根元付近にしごき残された液状化粧料を摺動により部分的にブラシ毛先端付近に搾り出す搾り栓とより構成され、
しごき栓が容器本体の底部側に、搾り栓がキャップ側となるよう配設されるものである。
【００１６】
さらに搾り栓を形成する搾り片に胴部との間を連接した補強リブ部を有することも良い。
【００１７】
また搾り栓の搾り片の容器本体の底面側に配列される側が尖頭状に形成されることも良い。
【発明の効果】
【００１８】
本発明液状化粧料容器にあっては次に記載する効果を奏する。
即ち液状化粧料を収容する容器本体にキャップを閉蓋した状態で、キャップに固着された塗布棒の先端部近傍および塗布棒の先端に植設されたアプリケータ部は
液状化粧料中に浸漬された状態になっており、液状化粧料が付着する。しかし塗布棒はしごき栓によって外周を摺動可能に軽くシールされ液状化粧料のキャップ側への流動を防止する。さらにキャップを抜脱すると、塗布棒に付着した液状化粧料はしごき栓を通過する時にしごき片によりしごき取られ、アプリケータ部には適量の液状化粧料の付着量に調整されて抜脱され、化粧時に手元などを汚したり床などの周囲を汚す心配がなくなる。
【００１９】
また本発明はしごき栓によりアプリケータ部に付着した液状化粧料を適量にしごき減量させた後、凸多角形や略星形の凹多角形等からなる異形のしごき片を有する搾り栓によりブラシ毛根元付近に残存する液状化粧料をブラシ毛根元付近へ移動させるものである。即ちしごき栓でアプリケータ部をしごくことにより液状化粧料をブラシ毛根元付近に残存させ、さらに搾り栓により該残存した液状化粧料をアプリケータ部の外周側、即ちブラシの先端付近に搾り出す。そのため液状化粧料を効率よく塗布でき、塗り残した液状化粧料を容器本体へ戻す量が減り、容器本体内の液状化粧料の劣化を最小限に抑えられる。
【発明を実施するための最良の形態】
【００２０】
次に本発明を具体化した各実施例について説明する。
図１は、本発明液状化粧料容器に係る組み立て断面説明図である。
本発明に係る液状化粧料容器は、上部に開口部２３を有するとともにマスカラの液状化粧料１００を収容する筒状の容器本体２１と、
開口部２３を閉蓋可能に螺着するキャップ１と、
キャップ１の下側の開口側に固着された塗布棒３の先端部８に植設されるアプリケータ部５と、
容器本体２１内にあってアプリケータ部５に余分に付着した液状化粧料１００をしごき取るしごき部４０から構成される。
容器本体２１の開口部２３には雄螺子部３３を有するネック部材３１が嵌着されておりキャップ１を螺合する。
【００２１】
図２はキャップ１内に装着されるアプリケータ部５の組み立て説明図である。
容器本体２１を閉蓋するキャップ１の開口側内面には雌螺子部２を有する塗布棒固着部材４が嵌合されている。
塗布棒固着部材４には塗布棒3の基端部６が嵌合固着されている。基端部６の反対側となる先端部８にはアプリケータ部５が植設されている。
アプリケータ部５は、一般的には針金状の芯材７の間に化学繊維からなるブラシ毛９を挟み込み、この芯材７を捻ることにより螺旋状にブラシ毛９を固定し、ブラシ毛を円筒状、円錐状等、所定形状にカットして成形された捻りブラシが用いられ芯材７を塗布棒３の先端部８に捩じ込み等により植設される。
パッキン１０はネック部材３１上方の化粧料取り出し口１１を密閉し不用意に液状化粧料１００が漏洩することのないよう、液状化粧料１００が乾燥してしまわないよう塗布棒固着部材４と基端部６の間に設けられている。
【００２２】
図３はしごき栓を配設するネック部材の説明図である。
ネック部材３１は図２に示す塗布棒固着部材４の雌螺子部２に螺合する雄螺子部３３と、容器本体２１の開口部２３に嵌着する嵌着部３５と、アプリケータ部５を構成するブラシ毛９を搾る搾り栓５１を位置決めする搾り栓収納部３７と、しごき栓４１を位置決め固定するしごき栓係合部３９とより形成される。しごき栓４１および搾り栓５１はしごき栓係合部３９によるしごき栓４１のネック部材３１への固定と、しごき栓収納部３７による搾り栓５１の上部位置決めおよびしごき栓４１上面との当接により保持されている。このとき搾り栓５１の胴部５８により、しごき片４５と搾り片５５の間には間隔Ｌを生じている。
しごき片４５と搾り片５５とを離間する間隔Ｌにより、しごき栓４１を通過したブラシ毛９が一旦広がることができアプリケータ部５の中心部に集中する液状化粧料１００をわずか分散できる。また、しごき栓を通過した液状化粧料１００が搾り片５５を通過する際の一時的な溜まり場となる。
【００２３】
図４は本発明液状化粧料容器にかかるしごき栓、搾り栓による液状化粧料のしごき取り手段である。図４によりしごき栓４１と搾り栓５２の効果についてしごき部４０と塗布棒３、アプリケータ部５、液状化粧料１００によって説明を加える。
しごき栓４１、搾り栓５１からなるしごき部４０は塗布棒３、アプリケータ部５に付着した余分な液状化粧料１００を除去調整するもので、塗布棒３、アプリケータ部５の移動方向である矢印Ａに沿ってしごき栓４１と搾り栓５１を上下に配設し構成する。アプリケータ部５はブラシ毛９を芯材７で捻るなどして形成されたもので塗布棒３の先端部８に植設されている。
図４（Ａ）は塗布棒３が容器本体２１から引き揚げられる過程を示すものでアプリケータ部５はしごき栓４１より下方に位置する。
液状化粧料１００は粘性の高い液体で塗布棒３およびアプリケータ部５の内外周に付着した状態で引き上げられる。その際塗布棒３に付着している液状化粧料１００も引き上げられるが第１のしごき栓４１に形成される塗布棒３に密着する第１のしごき片４５により塗布棒３に付着した液状化粧料１００は全周にわたり除去される。そのため第１のしごき栓４１より上方に位置する塗布棒３には液状化粧料１００の付着はない。
【００２４】
しごき栓４１は塗布棒３の軸長方向に直交する横断面形状の内接円径よりも小径で、芯材７の外形より大きく且つ塗布棒３の外形より僅か小さな挿通孔４３を有するしごき片４５および図３に示すようにネック部材３１の下方外周に形成されたしごき栓係合部３９に係合し位置決めする係止部４７を有したゴム弾性体で成形されている。また挿通孔４３の外周に小さなスリットを形成し塗布棒３と挿通孔４３とがより軽く摺動できるようにすることは挿通孔４３の形状を変更するものではないことから本発明を逸脱するものではない。
【００２５】
図４（Ｂ）は塗布棒３をさらに引き上げアプリケータ部５の一部が第１のしごき栓４１と搾り栓５１の間を通過する状態を示す。
しごき栓４１を構成するしごき片４５は第1の挿通孔４３が塗布棒３の外形より僅か小さく且つ芯材７より大きくなる範囲で形成していることから、アプリケータ部５の外周に付着した液状化粧料１００は容器本体２１内に戻しあるいはアプリケータ部５の内部に押し込めて付着量を調整する。
しごき栓４１と搾り栓５１の間のアプリケータ部５はしごき栓４１による拘束を解かれ元の形状に復帰される。この時、液状化粧料１００は芯材７近傍に多くを残し僅かの液状化粧料１００のみが周辺に一様に分散される。
【００２６】
図４（Ｃ）は塗布棒３をさらに引き上げアプリケータ部５の一部が搾り栓５１より外方に突出する位置にある状態を示す。
搾り栓５１を構成するしごき片５５は挿通孔４３に対し僅か小さな内接円５７と、アプリケータ部７の外径より大きな外接円５６との間で形成される略星形の挿通孔５３を形成する。
ここでブラシ毛９に付着した液状化粧料１００は図５に例示されるような搾り片５５により左右に分けられ挿通孔５３に分配される。その際にブラシ毛９は強くしごかれる部分としごかれない部分あるいは中間の軽くしごかれる部分に分かれる。
しごかれたブラシ毛９に付着する液状化粧料１００は搾り片５５のエッジにより挿通孔５３の外接円５６の側に集められる。
さらに挿通孔５３の内接円５７は挿通孔４３より小さいことからしごき栓４１によってしごき残されたアプリケータ部５の中心部の液状化粧料１００は外接円５６に沿って形成されたしごき片４５によりアプリケータ部５の外側に移動させられる。
【００２７】
ブラシ毛９に付着する液状化粧料１００を挿通孔５３の外接円５６の側に選択的に集める搾り栓５１は星形に例えられる凹多角形状、正多角形に例えられる凸多角形状の挿通孔５３によって形成される。
搾り栓５１の挿通孔５３の形状、大きさを設定する内接円５７の径はしごき栓４１の挿通孔４３形状、大きさを設定する内接円５７より小さく、アプリケータ部５の芯材７以上の径を持つ。さらに搾り栓５１の挿通孔５３の形状、大きさを設定する外接円５６の径はブラシ毛９の外形寸法前後の大きさに合わせられる。
ここに凹多角形状、凸多角形状とは各頂点を直線ばかりでなく曲線で結ぶ形状も含まれることを示す。
挿通孔５３の形状はブラシ毛９に付着する液状化粧料１００の偏在を微妙にするため図５に例示する搾り栓の挿通孔形状実施例図のような多様な形状にすることも良いものである。
【００２８】
例えば図５（Ａ）では凹多角形状で外接円５６および内接円５７に沿ってそれぞれ円弧状の辺を有する例で搾り片５５の固定端となる外接円５６の側が自由端側に比べ広く形成された搾り栓５１の例を示す。
図５（Ｂ）は凹多角形状で外接円５６および内接円５７に沿ってそれぞれ円弧状の辺を有する例で搾り片５５の固定端となる外接円５６の側が自由端側と同じ幅で形成された搾り栓５１の例を示す。
図５（Ｃ）は凹多角形状で外接円５６に沿って円弧状の辺を有した固定端、内接円５７を頂点とした自由端で形成された搾り栓５１の例を示す。
５図（Ｄ）はいわゆる星形形状の搾り栓５１の例を示す。
５図（Ｅ）は凸多角形状の搾り栓５１の例を示す。
【００２９】
図６は十字形状の挿通孔５３を持つ搾り栓５１をモデルにしたブラシに付着する液状化粧料の移動説明図で、搾り栓５１の搾り片５５を含む横断面で見た場合の液状化粧料１００の移動を示す。
液状化粧料１００が搾り片５５により挿通孔５３方向に移動している。
挿通孔５３に溜まった液状化粧料１００は、ブラシ毛先端方向に移動する。つまりアプリケータ部５の軸長方向に直交する横断面を見ると、液状化粧料が付着（残留）した形状が挿通孔と相似の形状となり、ブラシ毛先端部分により多くの液状化粧料１００が付着するようになり、睫毛への塗布を容易にする。
【００３０】
上記搾り栓５１は第７図（Ａ）に示すようにしごき片５５が、胴部５８との間で補強する補強リブ５９が一体に形成され、しごき片５５に対するアプリケータ部５による押圧力程度での矢印Ａ方向の変形を抑止するよう構成する事も良い。
さらに図７（Ｂ）に示すように補強リブ５９の図３に示されるしごき栓４１に向かう側が鋭角に形成された尖頭部６０を形成することも良い。
この場合、アプリケータ部５が搾り片５５を通過する際、ブラシ毛９に付着した液状化粧料１００を移動することによりまんべんなくブラシ毛９に液状化粧料１００を付着させることができる。
【００３１】
以上説明のとおり本発明液状化粧料容器は
アプリケータ部５がしごき栓４１、搾り栓５１からなるしごき部４０を通過し図４（Ｄ）に示されるように容器本体２１より引き抜かれることにより発明の効果の欄に記載する効果を奏する。
また図面に基づき、特定の実施の形態をもって説明を加えてきたが、本発明は図面に限定するものではなく、既に知られている本発明の効果を奏するどのような構成も採用されることができることは言うまでもないことである。  
【図面の簡単な説明】
【００３２】
【図１】本発明液状化粧料容器に係る組み立て断面説明図である。
【図２】キャップ内に装着されるアプリケータ部の組み立て説明図である。
【図３】しごき栓を配設するネック部材の説明図である。
【図４】液状化粧料のしごき取り手段の説明図である。
【図５】搾り栓の挿通孔形状実施例図である。
【図６】ブラシに付着する液状化粧料の移動説明図である。
【図７】補強リブを設けた搾り栓の説明図である。
【符号の説明】
【００３３】
１・・・・キャップ
２・・・・雌螺子部
３・・・・塗布棒
４・・・・塗布棒定着部材
５・・・・アプリケータ部
６・・・・基端部
７・・・・芯材
８・・・・先端部
９・・・・ブラシ毛
１０・・・パッキン
１１・・・化粧料取り出し口
１２・・・ブラシ外周面
１３・・・底部
２１・・・容器本体
２３・・・開口部
３１・・・ネック部材
３３・・・雄螺子部
３５・・・嵌着部
３７・・・しごき栓収容部
３９・・・しごき栓係止用突部
４０・・・しごき部
４１・・・しごき栓
４３・・・挿通孔
４５・・・しごき片
４７・・・係止部
５１・・・搾り栓
５３・・・挿通孔
５５・・・搾り片
５６・・・外接円
５７・・・内接円
５８・・・胴部
５９・・・補強リブ
６０・・・尖頭部
８１・・・Ａ残留液
８３・・・Ｂ残留液
８５・・・Ａしごき残液
８７・・・より分け液
８９・・・Ｂしごき残液
１００・・液状化粧料
【図１】
2006263233.tif 000003
【図２】
2006263233.tif 000004
【図３】
2006263233.tif 000005
【図４】
2006263233.tif 000006
【図５】
2006263233.tif 000007
【図６】
2006263233.tif 000008
【図７】
2006263233.tif 000009